(57)【特許請求の範囲】
【請求項１】
現金投票所に設置した勝馬投票端末機と通信回線を介して交信し、その端末機からのアクセス信号に応答する投票応答サブシステムと、現金投票所内外から発信される投票データを通信回線を介して収集計算し、オッズ情報を含む投票に必要な情報とを蓄積する運営企業側の総合センタのホスト計算機システムとから構成される勝馬投票システムにおいて、
前記勝馬投票端末機は、前記投票応答サブシステムと通信回線を介して交信するためのモデムを含む通信回線接続部と、ユーザに購入したい勝馬投票券を指定させるため前記運営企業側が定めた入力マーク項目及びそれら項目の配置フォーマットからなるフレームを印刷したマークカードのチェックマークによる第１の投票券購入データを読取るカードリーダ部と、電磁波通信機内蔵携帯端末から発射する第２の投票券購入データにより変調した搬送電磁波に応答する近距離通信回路部と、前記投票券購入料金相当の投入された現金を収納し、その金額を計数する現金計数収納部と、制御指令により前記第１或は第２の投票券購入データに該当する投票券又はレシートを排出する発券機部と、前記カードリーダ部或は近距離通信回路部からの投票券購入要求データと前記現金計数収納部からの金額データを照会確認してそれらのデータを前記投票応答サブシステムへ送信し、そのサブシステムによって処理された前記投票券購入受付結果データを受信し、その結果データにより投票券又はレシートの排出指令を出す中央制御部とを少なくとも備え、
前記投票応答サブシステムは、前記総合センタのホスト計算機システムと交信するための専用線接続部と、前記勝馬投票端末機からのそれぞれのアクセス信号に応答するための通信回線接続部と、前記勝馬投票端末機からの投票券購入申込を受信し、それらの投票券受付処理を前記ホスト計算機へ送信し、その受付Ｎｏ．と処理結果データを受信して、前記勝馬投票端末機へ返信を行う投票応答コンピュータとを少なくとも備え、
ユーザが各自の前記携帯端末で投票券購入データを入力する際は、携帯端末の表示部に表示される表示入力画面の入力項目・パターンフォーマット配置は、マークカードの前記フレームと同様に表示し、従来のユーザが容易に入力できる様にし、その携帯端末は、前記表示入力画面から入力でき、投票要項データを含む投票データ入力ソフトを、予めユーザ側がインターネットを介してダウンロードして取得、或はその前記電磁波通信機能を使用して携帯端末にダウンロードすることにより取得して、投票データが入力される都度、その携帯端末機内部で投票の誤りをチェックし、誤りのない投票データとすることができることを特徴とする電磁波通信機内蔵携帯端末対応勝馬投票システム。
【請求項２】
前記勝馬投票端末機は前記第１及び第２の投票券購入データをそれぞれカードリーダ部、近距離通信回路部からバスを介して入力する購入データ入力手段と、続いて現金計数収納部からバスを介してユーザ投入金額合計を入力し、購入データと照合する収納金額照合手段と、その投票券購入データを前記投票応答サブシステムへ送信する購入申込データ送信手段と、そのサブシステムで処理された受付結果データを受信する受付結果受信手段と、その受付結果により発券機部へバスを介して排出指令を出力する排出指令手段とを備え、
前記投票応答サブシステムは、勝馬投票端末機からの第１及び第２の投票券購入データを通信回線を介して受信する第１、第２購入データ受信手段と、その購入データをホスト計算機システムを交信して、受付処理を行う受付処理交信手段と、その受付結果データを当該勝馬投票端末機へ返信する結果データ返信手段とを備えることを特徴とする請求項１記載の電磁波通信機内蔵携帯端末対応勝馬投票システム。
【請求項３】
前記電磁波通信機内蔵携帯端末は、携帯無線電話機、携帯型小型パソコン、ＰＤＡを少なくとも含むことを特徴とする請求項１又は２記載の電磁波通信機内蔵携帯端末対応勝馬投票システム。
【請求項４】
前記電磁波は、マイクロ波或は赤外線であることを特徴とする請求項１、２又は３記載の電磁波通信機内蔵携帯端末対応勝馬投票システム。
【発明の詳細な説明】
【０００１】
【発明の属する技術分野】
本発明は、現金投票所に設置した勝馬投票端末機と、通信回線を介し応答する投票応答サブシステムと、総ての現金投票所から投票データ及び関連する情報を収集するホスト計算機システムとからなる勝馬投票システムに関し、詳しくは、その勝馬投票端末機はユーザが所定フォーマットのマークカードに投票券購入データを記入し、カードリーダにより読取る第１の投票券購入機能と、それに加えて、投票端末機に電磁波（マイクロ波或は赤外線）の搬送波による近距離通信回路部を設けて、ユーザはその電磁波通信機を内蔵した携帯端末により投票できる第２の投票券購入機能を備える投票システムに関する。
【０００２】
【従来の技術】
従来の現金投票所に設置されている勝馬投票端末機は、マークカードによる投票方式がとられていた。すなわち、利用者、投票券を購入したいユーザは、予め、勝馬投票券の管理運営企業側の発行した投票券購入のための項目とその配置フォーマットからなる「フレーム」を印刷したマークカードにチェック記号などを記入して、勝馬投票端末機のマークリーダ部へ挿入すると共に、その勝馬投票券に相当する現金をその端末機の現金投入口へ投入する。
【０００３】
次に、勝馬投票端末側はそのマークリーダによりマークカードの投票券購入データを読取り、投入した現金を確認してから通信回線を介して現金投票所内にある投票応答サブシステムへそれらの投票券購入申込データを送信する。
【０００４】
次に、応答サブシステム側は、管理運営企業側の現金投票所内外から発信される投票データを通信回線を介して収集計算し、さらにオッズ情報を含む投票に必要とする情報を蓄積する総合センタのホスト計算機システムと交信し、前記ユーザからの投票券購入申込データを送信し、その投票券の受付処理を行わせ、その受付処理結果データを受信する。
【０００５】
次に応答サブシステム側は、ホスト計算機システムから受信した受付処理結果データを、前記勝馬投票端末側へ送信し、その端末の発券機部から勝馬投票券又はそのレシートを排出してそのユーザへ渡す勝馬投票システムであった。
【０００６】
以上のようなマークカードにより投票券を購入するシステムは利用者、ユーザにとって非常に便利であった。また、管理運営企業側も勝馬投票端末機の稼働率を上げることができるメリットがあった。
【０００７】
しかしながら、利用者、ユーザはそのマークカードの記入に際し、記入ミスのために投票券の購入漏があったり、或は購入時に勝馬投票端末のチェックで誤りが発見されて受付けられず、修正入力することが多く発生していた。このため、勝馬投票端末機の自動発売機としての稼働率が低下する問題があった。
【０００８】
【発明が解決しようとする課題】
本発明は前述した問題点に鑑みてなされたものであり、その目的とするところは、現金投票所に設置した勝馬投票端末機と通信回線を介し交信し、その端末機からの投票券購入申込のアクセス信号に応答する投票応答サブシステムと、現金投票所内外からの投票データを収集し、オッズ情報などの投票に必要な情報を蓄積するホスト計算機システムとからなる勝馬投票システムにおいて、勝馬投票端末機はユーザがマークカードに記入した投票券購入申込にのみ対応するのではなく、さらにユーザが所持する電磁波通信機内蔵携帯端末に対応するように端末機内にその電磁波に応答する近距離通信回路部を設けて、ユーザがその携帯端末から投票券購入データを入力し勝馬投票端末機に向けて電磁波を発射すれば、その電磁波を受信して、投票申込の処理をマークカードの場合と同様に行うシステムを提供することを課題とする。
【０００９】
また、ユーザが各自の携帯端末で投票券購入データを入力する際は、携帯端末の表示部に表示される入力項目・パターンフォーマット配置はマークカードの「フレーム」と同様に表示し、従来のユーザが容易に入力できる様にし、その「フレーム」及び投票要項は予めユーザ側がインターネットを介してダウンロードして取得、或はその電磁波通信機能を使用して取得して携帯端末にダウンロードすることにより、投票要項の確認と、投票データと投票要項のチェックを入力段階で行うことができるシステムを提供する。
【００１０】
【課題を解決するための手段】
本発明の電磁波通信機内蔵携帯端末対応勝馬投票システムは、現金投票所に設置した勝馬投票端末機と通信回線を介して交信し、その端末機からのアクセス信号に応答する投票応答サブシステムと、現金投票所内外から発信される投票データを通信回線を介して収集計算し、オッズ情報を含む投票に必要な情報とを蓄積する運営企業側の総合センタのホスト計算機システムとから構成される勝馬投票システムにおいて、
前記勝馬投票端末機は、前記投票応答サブシステムと通信回線を介して交信するためのモデムを含む通信回線接続部と、ユーザに購入したい勝馬投票券を指定させるため前記運営企業側が定めた入力マーク項目及びそれら項目の配置フォーマットからなるフレームを印刷したマークカードのチェックマークによる第１の投票券購入データを読取るカードリーダ部と、電磁波通信機内蔵携帯端末から発射する第２の投票券購入データにより変調した搬送電磁波に応答する近距離通信回路部と、前記投票券購入料金相当の投入された現金を収納し、その金額を計数する現金計数収納部と、制御指令により前記第１或は第２の投票券購入データに該当する投票券又はレシートを排出する発券機部と、前記カードリーダ部或は近距離通信回路部からの投票券購入要求データと前記現金計数収納部からの金額データを照会確認してそれらのデータを前記投票応答サブシステムへ送信し、そのサブシステムによって処理された前記投票券購入受付結果データを受信し、その結果データにより投票券又はレシートの排出指令を出す中央制御部とを少なくとも備え、
前記投票応答サブシステムは、前記総合センタのホスト計算機システムと交信するための専用線接続部と、前記勝馬投票端末機からのそれぞれのアクセス信号に応答するための通信回線接続部と、前記勝馬投票端末機からの投票券購入申込を受信し、それらの投票券受付処理を前記ホスト計算機へ送信し、その受付Ｎｏ．と処理結果データを受信して、前記勝馬投票端末機へ返信を行う投票応答コンピュータとを少なくとも備え、
ユーザが各自の前記携帯端末で投票券購入データを入力する際は、携帯端末の表示部に表示される表示入力画面の入力項目・パターンフォーマット配置は、マークカードの前記フレームと同様に表示し、従来のユーザが容易に入力できる様にし、その携帯端末は、前記表示入力画面から入力でき、投票要項データを含む投票データ入力ソフトを、予めユーザ側がインターネットを介してダウンロードして取得、或はその前記電磁波通信機能を使用して携帯端末にダウンロードすることにより取得して、投票データが入力される都度、その携帯端末機内部で投票の誤りをチェックし、誤りのない投票データとすることができることを特徴とする。
【００１１】
また、前記勝馬投票端末機は前記第１及び第２の投票券購入データをそれぞれカードリーダ部、近距離通信回路部からバスを介して入力する購入データ入力手段と、続いて現金計数収納部からバスを介してユーザ投入金額合計を入力し、購入データと照合する収納金額照合手段と、その投票券購入データを前記投票応答サブシステムへ送信する購入申込データ送信手段と、そのサブシステムで処理された受付結果データを受信する受付結果受信手段と、その受付結果により発券機部へバスを介して排出指令を出力する排出指令手段とを備え、
前記投票応答サブシステムは、勝馬投票端末機からの第１及び第２の投票券購入データを通信回線を介して受信する第１、第２購入データ受信手段と、その購入データをホスト計算機システムを交信して、受付処理を行う受付処理交信手段と、その受付結果データを当該勝馬投票端末機へ返信する結果データ返信手段とを備えることを特徴とする。
【００１３】
また、前記電磁波通信機内蔵携帯端末は、携帯無線電話機、携帯型小型パソコン、ＰＤＡを少なくとも含むことを特徴とする。
【００１５】
また、前記電磁波は、マイクロ波或は赤外線であることを特徴とする。
【００１６】
【発明の実施の形態】
本発明の実施の形態を以下図に基づいて説明する。
【００１７】
図１は本発明の電磁波通信機内蔵携帯端末対応勝馬投票システムの構成図である。
【００１８】
ここで、１０は現金投票所に設置した勝馬投票端末機である。１００は電磁波通信機１００ａを内蔵したユーザの持つ携帯端末であり前記勝馬投票端末機と電磁波によって交信する。
【００１９】
４０は投票応答サブシステムであり、勝馬投票端末機１０から通信回線９０を介して接続され、端末機１０からの投票券購入の申込アクセス信号に応答する。
【００２０】
６０は、現金投票所内外の投票券発券データ発信端末群７０から発信される投票データを通信回線を介して収集計算しオッズ情報を含む投票に必要な情報とを蓄積する運営企業側の総合センタのホスト計算機システムである。投票応答サブシステム４０からのユーザ投票券購入データを受信して、受付処理を行い、受付Ｎｏ．を発行して、受付Ｎｏ．及び結果データを投票応答サブシステム４０へ返信し、また、サブシステム４０からのユーザ情報照会申込を受信し、それに対応する情報を返信する。
【００２１】
以下、さらに詳しく勝馬投票端末機１０と、投票応答サブシステム４０とを説明する。
【００２２】
勝馬投票端末機１０は中央制御部１１、通信回線接続部１２、ディスク装置１３、表示部及びプッシュボタン等のキー入力装置１５、カードリーダ部１４、現金計数収納部１６、発信機部１７、近距離通信回路部１８、バス１９から少なくとも構成する。
【００２３】
ここで、通信回線接続部１２は、投票応答サブシステム４０と通信回線９０を介して投票データを交信するためのモデムを含む回路である。
【００２４】
カードリーダ部１４は、ユーザに購入したい勝馬投票券を指定させるのを前記投票運営企業側が定めた入力マーク項目及びそれら項目の配置フォーマットからなる「フレーム」を印刷したマークカードの項目記入欄にユーザがチェックマークを記入したか否かを所定の順序で読込み、一連の符号列とした「第１の投票券購入データ」をバス１９へ出力する。
【００２５】
近距離通信回路部１８は、電磁波通信機１００ａ内蔵した携帯端末機１００から発射する「第２の投票券購入データ」により変調された搬送電磁波に応答する回路である。
【００２６】
ここで、携帯端末１００は、例えば携帯無線電話機或はＰＤＡなどに電磁波通信機１００ａを内蔵したものでよい。電磁波は数ＧＨｚのマイクロ波帯、或は赤外線でもよい。
【００２７】
ユーザの所持する携帯端末１００には、予め投票運営企業側が生成した「第２の投票券購入データ」をユーザが端末機１００表示入力画面からキーなどで入力できる投票データ入力ソフト１００ｂがインストールされている。この投票データ入力ソフト１００ｂには、これから投票しようとするレースに関する投票要項データを受信して更新記録する機能を含んでいる。
【００２８】
投票データ入力ソフト１００ｂ（投票要項データを含む）はインターネットを介して運営企業側のコンピュータシステムからダウンロードできる。また、勝馬投票端末機１０より電磁波による近距離通信によりユーザの携帯端末１００で受信してインストールできる。このとき、投票データ入力ソフト１００ｂの最新の開催レースの投票要項データをダウンロードして更新することができることは勿論である。交信記録された投票要項により、投票データを入力する都度、その端末機内部で投票の誤り（例えば出走取消に対する投票など）を直ちにチェックし、誤りのない投票データとすることができる。
【００２９】
さらに、投票データ入力ソフト１００ｂはマークカードに印刷された「フレーム」と同一の入力項目及び配置フォーマットが表示されるようにして、ユーザが容易に入力できるようにする。
【００３０】
ユーザが所持する携帯端末１００に表示されたデータ入力画面の「フレーム」の各項目記入欄にチェックマークを入力する。その入力された「第２の投票券購入データ」は、投票要項とチェックされ誤りがあれば再入力する。誤りがなければ、入力完了の終了ボタンを押し、さらに端末機１０の近くで送信ボタンを押せばカードリーダ部１４と同様な所定の順序で読込み、一連の符号列とされ、その符号列データにより変調された電磁波が発射される。その際ユーザは近距離でその携帯端末１００の発射方向を勝馬投票端末機１０の電磁波送受信用アンテナへ向けて交信する。
【００３１】
端末機１０の近距離通信回路部１８は、そのアンテナから電磁波を受信し、マイクロ波帯同調回路、局部発振回路、ダイオードミクサ、中間周波プリ・アンプ等公知の技術で構成されるＵＨＦチューナ回路及び、ＩＦ増巾、検波回路などを経由して「第２の投票券購入データ」の等号列信号を取出し、バス１９へ出力する。
【００３２】
現金計数収納部１６は、前記「第１及び第２の投票券購入データ」による料金相当の投入された現金を収納し、その金額を計数し、バス１９へ出力する。
【００３３】
発券機部１７は「第１及び第２の投票券購入データ」に該当する投票券又はレシートをバス１９からの指令により排出する。
【００３４】
中央制御部１１は、「第１及び第２の投票券購入データ」をそれぞれカードリーダ部１４、近距離通信回路部１８からバス１９を介して入力する購入データ入力手段１１ａと、現金計数収納部１６から、バス１７を介してユーザ投入金額合計値を入力し、購入データと照合する収納金額照合手段１１ｂと、ユーザの投票券購入データを通信回線接続部１２を介して投票応答サブシステム４０へ送信する購入申込データ送信手段１１ｃと、サブシステム４０で処理された受付結果データを通信回線接続部１２を介して受信する受付結果受信手段１１ｄと、その受付結果により発券機部１１へバス１９を介して投票券或はレシートの排出指令を出力する排出指令手段１１ｅとを少なくとも備える。
【００３５】
一方、総合センタのホスト計算機システム６０と交信するための専用線接続部４４と、勝馬投票端末機１０からの投票券購入申込のアクセス信号に応答するための通信回線接続部４３と、投票応答コンピュータ４１及びその投票応答管理用データベース４２ｘを少なくとも含むデータベース４２からなる。
【００３６】
ここで、投票応答コンピュータ４１は勝馬投票端末機１０からの「第１及び第２の投票券購入データ」を通信回線９０を介して受信する第１、第２購入データ受信手段４０ａと、購入データをホスト計算機システム６０と交信し、受付処理を行う受付処理交信手段４０ｂと、その受付結果データを当該勝馬投票端末機１０へ返信する結果データ返信手段４０ｃとを少なくとも備える。
【００３７】
次に、本発明の電磁波通信内蔵携帯端末対応勝馬投票システムの動作の流れ図を図２、図３に示す。
【００３８】
図２のＳ２１〜Ｓ２７はユーザがマークカードを使用して投票券を購入するときの流れである。
【００３９】
図３のＳ３１〜Ｓ３８はユーザが所持する携帯端末１００から投票データ入力ソフト１００ｂを使用して、内蔵してある電磁波通信機１００ａから投票券購入データで変調された電磁波を端末機１０へ発射し、現金を投入して投票券を購入するときの流れである。
【００４０】
尚、図３において、ユーザが携帯端末１００に投票データ入力ソフト１００ｂがない場合は、この携帯端末１００で勝馬投票端末機１０へ投票データ入力ソフト１００ｂをダウンロードを要求できるようにしてもよい。さらに、予めユーザの携帯端末１００がインターネット対応の携帯電話機の場合は、予めインターネットを介して投票運営企業側のコンピュータシステムによりその投票データ入力ソフト１００ｂをダウンロードできるようにしてもよい。
【００４１】
また、携帯端末１００は投票券購入データの送信のみでもよく、その応答は勝馬投票端末機１０の表示部１５又はさらにスピーカを付して、応答画面と応答音を出すようにしてもよい。システムは低コストになる。
【００４２】
【発明の効果】
本発明の電磁波通信機内蔵携帯端末機対応勝馬投票システムは以下に示す効果を奏する。
【００４３】
現金投票所における勝馬投票端末機は従来においてはマークカードに投票購入券をチェックマークによる記入する方式であったが、このマークカード記入方式と共にユーザが所持する近距離通信可能な電磁波通信機内蔵の携帯端末により、従来のマークカードと全く同様の「フレーム」の投票券購入データの入力画面よりソフト的にチェックマークを入力記入できるので、記入項目への入力は容易に理解でき、しかも入力記入が投票要項と自動チェックされ、誤りがあれば容易に修正できるので記入ミスを予めなくすることができ、記入ミスによる買い漏れも少なくユーザにとって利便性を向上させることができる。
【００４４】
また、投票運営企業にとっても修正などに対応することが少なくなり自動発売機である勝馬投票端末機の運用稼働率が向上する。
【図面の簡単な説明】
【図１】本発明の電磁波通信機内蔵携帯端末対応勝馬投票システムの構成図である。
【図２】本発明の電磁波通信機内蔵携帯端末対応勝馬投票システムの動作の流れ（１）。
【図３】本発明の電磁波通信機内蔵携帯端末対応勝馬投票システムの動作の流れ（２）。
【符号の説明】
１０      現金投票所に設置した勝馬投票端末機
１１      中央制御部
１２      通信回線接続部
１３      ディスク装置
１４      カードリーダ部
１５      表示部及び入力装置
１６      現金計数収納部
１７      発券機部
１８      近距離通信回路部
１９      バス
４０      投票応答サブシステム
４１      投票応答コンピュータ
４２      データベース
４３      通信回線接続部
４４      ホスト計算機接続部
６０      総合センタのホスト計算機システム
７０      現金投票所の投票発券データ発信端末群
９０      通信回線
１００    携帯端末
１００ａ  電磁波通信機
１００ｂ  投票データ入力ソフト
【図１】
0003697542.tif 000002
【図２】
0003697542.tif 000003
【図３】
0003697542.tif 000004